(57)【特許請求の範囲】
【請求項１】
無線送信されるデジタル信号をΣΔ変調して、スイッチングパワーアンプで電力増幅し、更にバンドパスフィルタを通して出力する高周波増幅器において、
入力される２値化信号をスイッチング増幅した高周波信号を出力するスイッチングパワーアンプと、
前記デジタル信号が入力され、それをΣΔ変調した２値化パルス信号にして前記スイッチングパワーアンプへ出力するΣΔ変調器と、
電圧ｖ２から最大電圧ｖ１までの電圧を出力する電源供給手段と、
前記ΣΔ変調器へ入力されるデジタル信号の送信信号レベルを監視し、
その送信信号レベルが基準のレベル以下の場合、
前記ΣΔ変調器に対して入力される前記送信信号レベルに対応してパルス幅が変化するΣΔ変調された前記パルス信号を前記ΣΔ変調器から前記スイッチングパワーアンプへ向けて出力させる制御および、前記電源供給手段から前記スイッチングパワーアンプに前記ｖ２の一定の電圧の電源を供給して前記スイッチングパワーアンプから一定の振幅の送信信号を出力させる制御と、
前記基準のレベルを超過する場合には、
前記ΣΔ変調器に対して前記基準のレベル入力時に出力するパルス幅と同じパルス幅を維持したパルス信号を出力させる制御および、前記電源供給手段から前記スイッチングパワーアンプに前記超過するレベルに対応して最大前記ｖ１までの電源電圧を供給することにより、前記一定の振幅よりも更に振幅を大きくした送信信号を前記スイッチングパワーアンプから出力させる制御とを行う監視制御手段とを
備えることを特徴とする高周波増幅器。
【請求項２】
前記監視制御手段は、
前記基準のレベルを、前記入力される送信信号レベルの想定する平均入力レベル以上かつ、最大ピークレベル未満の値に設定していることを
特徴とする請求項１記載の高周波増幅器。
【請求項３】
前記電源供給手段は、第１と第２の電源とを備え、
前記ｖ２の電圧を出力する第２の電源は、逆流防止ダイオードを経て前記スイッチングパワーアンプの電源端子に接続され、
前記ｖ１の電圧を出力する第１の電源は、トランジスタのコレクタに接続され、そのエミッタが前記スイッチングパワーアンプの電源端子に接続され、そのベースが前記監視制御手段へ接続され、
前記監視制御手段は、
前記入力される送信信号レベルが前記基準のレベル以下の場合、前記トランジスタをオフにして前記第２の電源からの出力を前記スイッチングパワーアンプへ供給し、
前記入力される送信信号レベルが前記基準のレベル以上の場合、前記トランジスタをオンにして前記第１の電源から最大前記ｖ１までの電源電圧を前記スイッチングパワーアンプへ供給することにより、前記基準のレベルを越えた電圧に対応して前記スイッチングパワーアンプの送信信号の振幅が前記一定の振幅よりも大きくなる制御信号を前記トランジスタのベースに出力する
ことを特徴とする請求項１または２記載の高周波増幅器。
【請求項４】
前記電圧ｖ１は、前記平均入力レベルに対して略１０ｄＢ大きいピーク信号に対応出来る前記振幅変調が可能な電圧であることを特徴とする
請求項１乃至３の何れか１つに記載の高周波増幅器。
【請求項５】
前記電源供給手段は、第１と第２の電源とを備え、
前記ｖ２の電圧を出力する第２の電源は、逆流防止ダイオードを経て前記スイッチングパワーアンプの電源端子に接続され、
前記ｖ１の電圧を出力する第１の電源は、ベースが前記監視制御手段の出力端子へ接続され、コレクタがキャパシタを介して接地される第２のトランジスタと、ベースが前記監視制御手段の出力端子へ接続され、コレクタが前記第１の電源に接続され、エミッタが前記第２のトランジスタのエミッタに接続されると共に前記スイッチングパワーアンプの電源端子に接続される第３のトランジスタとを備え、
前記監視制御手段は、
前記入力する送信信号レベルが前記基準の信号レベル以下で有る場合、
前記スイッチングパワーアンプへ前記第２の電源からｖ２の電圧を供給するために前記第３のトランジスタをオフ、前記第２のトランジスタをオンに設定し、
前記送信信号が前記基準の信号レベルを越えた場合、
前記スイッチングパワーアンプに前記第１の電源から最大前記ｖ１までの電源電圧を供給するために前記第２のトランジスタをオフ、前記第３のトランジスタをオンに設定する制御信号を前記第２および第３のトランジスタのベースに出力する
ことを特徴とする請求項１または２に記載の高周波増幅器。
【請求項６】
スイッチングパワーアンプと、ΣΔ変調器と、電源供給手段と、監視制御手段とを備え、
無線送信されるデジタル信号をΣΔ変調して、スイッチングパワーアンプで電力増幅した高周波信号を更にバンドパスフィルタを通して出力する高周波増幅器の高効率化方法において、
前記ΣΔ変調器は、前記無線送信されるデジタル信号が入力され、それをΣΔ変調した２値化パルス信号にして前記スイッチングパワーアンプへ出力し、
前記２値化パルスが入力される前記スイッチングパワーアンプは、入力された２値化信号に対応してスイッチングして電力増幅された高周波信号を出力し、
前記監視制御手段は、
前記ΣΔ変調器へ入力されるデジタル信号の送信信号レベルを監視し、
その送信信号レベルが基準のレベル以下の場合、
前記ΣΔ変調器に対して入力される送信信号レベルに対応してパルス幅が変化するΣΔ変調された前記パルス信号を前記ΣΔ変調器から前記スイッチングパワーアンプへ向けて出力させる制御と、前記電源供給手段からから前記スイッチングパワーアンプにｖ２の一定の電圧の電源を供給し、前記スイッチングパワーアンプから一定の振幅の送信信号を出力させる制御と、
前記基準のレベルを超過する場合には、
前記ΣΔ変調器に対して前記基準の信号レベル入力時に出力するパルス幅と同じパルス幅を維持したパルス信号を出力させる制御と、
前記電源供給手段から前記スイッチングパワーアンプに前記超過するレベルに対応して前記電圧ｖ２よりも高い最大電圧ｖ１までの電圧の電源を供給することにより、前記一定の振幅よりも更に振幅を大きくした送信信号を前記スイッチングパワーアンプから出力させる制御とを行うことを
特徴とする高周波増幅器の高効率化方法。
【請求項７】
前記監視制御手段は、
前記基準のレベルを、想定する前記入力する信号レベルの平均入力レベル以上かつ、最大ピークレベル未満の値に設定していることを
特徴とする請求項６記載の高周波増幅器の高効率化方法。
【発明の詳細な説明】
【技術分野】
【０００１】
本発明は、高効率で直線性の良い高周波増幅器および高効率化方法に関する。
【背景技術】
【０００２】
大量の情報を伝達する通信、放送等に利用されるＣＤＭＡ、ＯＦＤＭの変調方式は変調信号のピーク電力と平均電力の比が大きく、直線性を確保するため出力増幅器は飽和電力からバックオフをとる必要がある。しかし、バックオフをとると、Ａ級、ＡＢ級動作では一般に増幅器の効率が低下するので、バックオフをとった動作点でも増幅器の効率低下を防ぐ増幅方法が求められている。
【０００３】
その１つの方法として入力信号にシグマデルタ (以下、ΣΔと記す。)変調をかけて後続のＰＡ（電力増幅器）を1ビット動作させる方法がある（例えば、非特許文献１。）。本方法を用いれば、従来使用していた、送信周波数変換部等のユニットが不要となり、送信機の回路構成が簡素化される。
【０００４】
デジタルΣΔ変調方式に、バンドパスΣΔ方式があり、ＲＦ（無線電波）周波数の４倍ものサンプリング周波数でＰＡをスイッチングしなくてはならず、携帯電話等、数１００ＭＨｚ〜数ＧＨｚのＲＦ信号に対して適応すると、ＰＡのスイッチング゛損失が増大し、ＰＡの効率が低下するという問題があった。
【０００５】
図５は、従来のΣΔ方式を用いた高周波増幅器の動作を説明する機能ブロック図である。  
図５において、従来のΣΔ方式を用いた高周波増幅器は、無線送信する信号のベースバンドのデジタル信号を出力するデジタル処理部８、その出力されるベースバンド信号をΣΔ変調、即ち、１ビットのパルス列の変調信号に変換して出力するΣΔ変調器１、その変調信号をスイッチング増幅し信号電波として出力するパワーアンプ電力増幅器（以下、ＳＷＰＡと記す。）２と、スイッチング増幅された信号電波から不要な雑音を抑圧し、図示されないアンテナから送信する為の所要の帯域の出力に整えるＢＰＦ３とを備える。
【０００６】
ＳＷＰＡ２が電圧制御型の電力増幅器（ＰＡ）の場合、その出力電圧のデューティ比が５０％時に最大出力となる。ＳＷＰＡ２には高周波用のスイッチングアンプを使用するが、スイッチングをする毎にＣｏｕｔ×Ｖｄ×１／２の損失が発生する。ここでＣｏｕｔはＳＷＰＡ２の出力容量、ＶｄはＳＷＰＡ２のドレイン電圧である。
【０００７】
非特許文献１の２５１７ページ表IIIに示されているように、電圧制御スイッチモードのＤ級アンプにΣΔ変調された正弦波を入力した場合にはそのアンプの効率は３４％であるのに対し、ピーク出力と平均出力の比（ＰＡＲ：peak to Average Power Ratio）が７．１ｄＢのＷＣＤＭＡ信号では、同じく効率が７．１％であり、ＰＡＲが１０ｄＢの場合は３．４％に劣化する。
【０００８】
この様に従来のΣΔ変調方式を用いた高周波増幅器は、ＰＡＲが高い信号に対しては効率が悪い問題があった。
【先行技術文献】
【非特許文献】
【０００９】
【非特許文献１】Thomas Johnson, Shawn P. Stapleton, RF Class-D Amplification With Bandpass Sigma-Delta Modulator Drive Signals. IEEE TRANSACTIONS ON CIRCUITS AND SYSTEMS-I: REGULAR PAPERS, VOL.53, NO.12, DECEMBER 2006 p.2507-2520
【発明の概要】
【発明が解決しようとする課題】
【００１０】
従来のΣΔ変調方式を用いた高周波増幅器は、ピークと平均とのレベル比（ＰＡＲ）が高い信号を増幅すると、効率が低い問題があった。
【００１１】
本発明は上記問題を解決するためになされたもので、広帯域でＰＡＲが高い信号を高効率で増幅する高周波増幅器、および高効率化方法を提供することを目的とする。
【課題を解決するための手段】
【００１２】
上記目的を達成するために、本発明の高周波増幅器は、無線送信されるデジタル信号をΣΔ変調して、スイッチングパワーアンプで電力増幅し、更にバンドパスフィルタを通して出力する高周波増幅器において、入力される２値化信号をスイッチング増幅した高周波信号を出力するスイッチングパワーアンプと、前記デジタル信号が入力され、それをΣΔ変調した２値化パルス信号にして前記スイッチングパワーアンプへ出力するΣΔ変調器と、電圧ｖ２から最大電圧ｖ１までの電圧を出力する電源供給手段と、前記ΣΔ変調器へ入力されるデジタル信号の送信信号レベルを監視し、その送信信号レベルが基準のレベル以下の場合、前記ΣΔ変調器に対して入力される前記送信信号レベルに対応してパルス幅が変化するΣΔ変調された前記パルス信号を前記ΣΔ変調器から前記スイッチングパワーアンプへ向けて出力させる制御および、前記電源供給手段から前記スイッチングパワーアンプに前記ｖ２の一定の電圧の電源を供給して前記スイッチングパワーアンプから一定の振幅の送信信号を出力させる制御と、前記基準のレベルを超過する場合には、前記ΣΔ変調器に対して前記基準のレベル入力時に出力するパルス幅と同じパルス幅を維持したパルス信号を出力させる制御および、前記電源供給手段から前記スイッチングパワーアンプに前記超過するレベルに対応して最大前記ｖ１までの電源電圧を供給することにより、前記一定の振幅よりも更に振幅を大きくした送信信号を前記スイッチングパワーアンプから出力させる制御とを行う監視制御手段とを備えることを特徴とする。
【００１３】
また、本発明の高周波増幅器の高効率化方法は、スイッチングパワーアンプと、ΣΔ変調器と、電源供給手段と、監視制御手段とを備え、無線送信されるデジタル信号をΣΔ変調して、スイッチングパワーアンプで電力増幅した高周波信号を更にバンドパスフィルタを通して出力する高周波増幅器の高効率化方法において、前記ΣΔ変調器は、前記無線送信されるデジタル信号が入力され、それをΣΔ変調した２値化パルス信号にして前記スイッチングパワーアンプへ出力し、前記２値化パルスが入力される前記スイッチングパワーアンプは、入力された２値化信号に対応してスイッチングして電力増幅された高周波信号を出力し、前記監視制御手段は、前記ΣΔ変調器へ入力されるデジタル信号の送信信号レベルを監視し、その送信信号レベルが基準のレベル以下の場合、前記ΣΔ変調器に対して入力される送信信号レベルに対応してパルス幅が変化するΣΔ変調された前記パルス信号を前記ΣΔ変調器から前記スイッチングパワーアンプへ向けて出力させる制御と、前記電源供給手段からから前記スイッチングパワーアンプにｖ２の一定の電圧の電源を供給し、前記スイッチングパワーアンプから一定の振幅の送信信号を出力させる制御と、前記基準のレベルを超過する場合には、前記ΣΔ変調器に対して前記基準の信号レベル入力時に出力するパルス幅と同じパルス幅を維持したパルス信号を出力させる制御と、前記電源供給手段から前記スイッチングパワーアンプに前記超過するレベルに対応して前記電圧ｖ２よりも高い最大電圧ｖ１までの電圧の電源を供給することにより、前記一定の振幅よりも更に振幅を大きくした送信信号を前記スイッチングパワーアンプから出力させる制御とを行うことを特徴とする。
【発明の効果】
【００１４】
本発明によれば、広帯域でピークと平均の差が高い信号を高効率で増幅する高周波増幅器、および高効率化方法を提供することが出来る。
【図面の簡単な説明】
【００１５】
【図１】本発明の実施例に係わる高周波増幅器の動作を説明する機能ブロック図。
【図２】非特許引用文献１のスイッチングアンプ（CVSCD）の動作説明図。
【図３】ＳＷＰＡの入力信号と出力の波形図。
【図４】本発明の実施例に係わる高周波増幅器の変形例の動作を説明する機能ブロック図。
【図５】従来のΣΔ方式を用いた高周波増幅器の動作を説明する機能ブロック図。
【発明を実施するための形態】
【００１６】
以下、図面を参照して本発明の実施例を説明する。
【実施例】
【００１７】
図１は、本発明の実施例に係わる高周波増幅器の動作を説明する機能ブロック図である。  
図１において、本発明の実施例の高周波増幅器は、図５と同様な事項については説明を省略するが、図５に示される従来のΣΔ方式を用いた高周波増幅器の構成に更にＤ／Ａコンバータ４、弁別増幅器５、スイッチトランジスタＴｒ１、チョークコイル６、逆流防止のダイオード７が加えられている。
【００１８】
無線送信するためのデジタル処理部８から出力されたベースバンド信号は、Ｄ／Ａコンバータ４でアナログ変換後、例えば、包絡線検波されたレベルモニタ信号が弁別増幅器５へ入力される。弁別増幅器５は、レベルモニタ信号に対して予め信号存在確率の高い平均レベルよりも高めに設定された閾値Ｖｔｈが設定され、この閾値Ｖｔｈを越えた場合、トランジスタＴｒ１をオンにして、入力電圧に比例した電圧を出力する。
【００１９】
例えば、閾値Ｖｔｈは、ＰＡＲが８ｄＢの時、平均出力レベルから約６ｄＢ高いレベルに対応する値で、確率は数％程度になる様に設定される。ＳＷＰＡ２は、通常、電圧ｖ２の電源Ｖ２がチョークコイル６とダイオード７を経由してドレインに供給される。一方トランジスタＴｒ１のコレクタには電源Ｖ２よりも高い電圧ｖ１の電源Ｖ１が供給されている。高周波増幅器への入力信号のレベルが閾値Ｖｔｈ以下で有れば、ＳＷＰＡ２へ電源Ｖ２が供給され、閾値Ｖｔｈを越えると電源Ｖ１が供給される。電源Ｖ１の電圧ｖ１は、平均入力レベルよりも１０ｄＢ程大きいピーク入力に対しても出力出来る様な電圧に設定されていると良い。
【００２０】
さて、ここで、一旦、ΣΔ変調器からの信号を増幅するスイッチングパワーアンプの動作について考察する。  
図２は、非特許引用文献のスイッチングアンプ（CVSCD  :Complementary-Voltage Switched Class-D  アンプ）の動作説明図である。  
図２（ａ）は、CVSCDアンプの模式図（非特許引用文献  Fig6）、図２（ｂ）（非特許引用文献  Fig７（ａ））は、一定振幅で５０％デューティ比の信号を電流ゼロの時にスイッチング（零電流スイッチング）する状態図、図２（ｃ）（非特許引用文献  Fig7(b)）は、ΣΔ変調信号が入力され、零電流スイッチングではない場合の状態図を示している。
【００２１】
ＷＣＤＭＡ信号は、平均出力レベルとピークレベルとのレベル差が大きい信号ではあるものの、ピークレベルの信号を出力する確率は大きくなく、大半の時間で信号の振幅は平均出力レベルである。
【００２２】
そこで、本発明の実施例では、増幅器（ＳＷＰＡ２）の入力信号のレベルが規定値（閾値）以下の場合は、電源としてスイッチングアンプのドレイン端子に固定電圧（ｖ２）を与えてΣΔ変調器の出力信号をそのまま入力するスイッチング動作で一定振幅の送信信号を出力する。
【００２３】
一方、ＰＡＲが大きくなる信号が入力した場合、言い換えると閾値以上のピークレベルが大きい信号では、ΣΔ変調器から増幅器への出力信号を入力信号のレベルに対応して変化するパルス幅（デューティ）を一定のパルス幅に保持する動作に切り替える。そして、増幅器のドレイン端子に供給される電源電圧を制御して振幅方向の変調をかけた送信信号を出力することにより効率の改善を図っている。
【００２４】
即ち、図１におけるＣＶＳＣＤアンプであるＳＷＰＡ２に対して閾値のＶｔｈ以上ではパルスのデューティ比ではなく、最高で電圧がｖ１になるように電源電圧を制御することにより、振幅変調がかかるようにする。閾値Ｖｔｈを前述のように平均レベルより所定のレベルだけ高いポイントまで通常のΣΔ変調を行う様に設定すれば、ＳＷＰＡ２は、閾値Ｖｔｈ以下ではピーク時に必要な電圧（ｖ１）よりも低い電圧（ｖ２）で動作する。
【００２５】
つまりＷＣＤＭＡの様にＰＡＲが大きい信号では、ピーク出力になる確率は低いので、大半の時間は低いドレイン電圧ｖ２で動作するので効率低下を防ぐことが出来る。
【００２６】
上述の様に高周波増幅器への入力信号が、それに対応する弁別増幅器５への入力レベルの閾値Ｖｔｈ以下で有れば、トランジスタＴｒ１はオフのままでＳＷＰＡ２へ電源Ｖ２が供給され、閾値Ｖｔｈを越えるとトランジスタＴｒ１がオンになり電源Ｖ１が供給される。
【００２７】
また同時に、弁別増幅器５から出力するトランジスタＴｒ１をオンにする電圧までは、ΣΔ変調器１が入力信号振幅に比例してパルス幅を変化させる通常の動作をする様に制御する制御信号（閾値情報）、または電圧が、デジタル処理部８、または弁別増幅器５からΣΔ変調器１に入力される。
【００２８】
また、この「オン」にするが制御信号加わっている間は、入力信号が閾値Ｖｔｈ相当の入力時と同じパルス幅と振幅になるようにΣΔ変調器１からの出力が維持される。言い換えれば、ΣΔ変調器１は、入力信号のレベルが閾値Ｖｔｈを越えている場合には、出力する変調信号のパルス幅が固定される様に設定されている。
【００２９】
そして、入力信号のレベルが閾値Ｖｔｈを越える場合には、ＳＷＰＡ２の電源には、弁別増幅器５によってオンになったトランジスタＴｒ１を経由して振幅が変化する最大ｖ１の電圧が供給され、結果として、入力信号が閾値Ｖｔｈ以下の場合の通常のΣΔ変調器の出力の振幅に、入力信号が閾値Ｖｔｈを越えた分に対応して振幅が増した送信信号がＢＰＦ３へ出力される。
【００３０】
図３は、ＳＷＰＡ２の入力信号と出力の波形図である。  
図３は、入力信号がＶｔｈを越えると出力振幅が増加する振幅変調が行われる状態を示している。
【００３１】
トランジスタＴｒ１をリニヤ、例えばＡ級に近い動作をさせるため、一見電源を含めた効率は良くないがＣＤＭＡ、ＯＦＤＭの様な変調信号のピーク電力と平均電力の比が大きな信号では、入力信号が閾値Ｖｔｈ以上となる存在確率が低くなるように閾値Ｖｔｈを設定しているので全体としての高周波増幅器の効率は向上する。
【００３２】
図４は、本発明の実施例に係わる高周波増幅器の変形例の動作を説明する機能ブロック図である。  
図４において、高周波増幅器は、図１の構成に、エミッタが共通接続された２つのトランジスタＴｒ２、Ｔｒ３、バイアス部９、デカップリングコンデンサであるキャパシタＣとを更に備えている。
【００３３】
また高周波増幅器のＳＷＰＡ２のドレインには、高出力時に供給される電圧ｖ１のバイアスと低出力時用の電圧ｖ２のバイアスの２種類のバイアス電源が供給される。弁別増幅器５の出力はバイアス部９へ入力され、入力信号のレベルが規定値（Ｖｔｈ）以下の時は、バイアス部９により、Ｔｒ３がオフ、Ｔｒ２がオンとなる。
【００３４】
バイアス部９は、弁別増幅器５で出力電圧が制御される可変電圧電源である。この可変電圧電源が、Ｔｒ３、Ｔｒ２のベース電圧を制御する。即ち、入力信号レベルが閾値Ｖｔｈ以下で有れば、Ｔｒ３がオフ、Ｔｒ２がオンとなり、閾値Ｖｔｈ以上で有れば、Ｔｒ３がオン、Ｔｒ２がオフとなる様にベース電圧を制御する。回路構成としては、入力信号の大小を比較する弁別増幅器５からの入力に応じて上述の電圧を出力する能動素子回路、または、ＤＳＰ回路等で構成すればよい。
【００３５】
Ｔｒ３がオフ、Ｔｒ２がオンとなると、電圧ｖ２の電源Ｖ２が、チョークコイル６、ダイオード７を介してＳＷＰＡ２に印加される。この時、Ｔｒ２のコレクタ側にはキャパシタＣが接続されているので、ＳＷＰＡ２の出力端子から電源系統側を見たベースバンド信号におけるインピーダンスは低インピーダンスとなる。
【００３６】
ＳＷＰＡ２は高効率のスイッチングアンプであり、Ｄ級で動作する。この時、ベースバンド信号における電源系統のインピーダンスが高いと、ＳＷＰＡ２の電源電流の変動に伴い、電源電圧も変化してドレイン変調がかかる。
【００３７】
その結果、高周波増幅器の歪特性が劣化し、特にデジタル処理部８の中にＤＰＤ（デジタルプリディストーション回路）を用いた増幅回路では、メモリエフェクトと呼ばれる歪劣化特性を引き起こす。これを更に補正するためＤＰＤが大規模になるという問題があった。本実施例の高周波幅器のＳＷＰＡ２は、電源系統のインピーダンスを低くしているので、メモリエフェクトによる劣化を抑えることができる。
【００３８】
また、入力信号のレベルが規定値Ｖｔｈ以上の時は、バイアス部９がＴｒ３をオン、Ｔｒ２をオフとする。そしてＴｒ３はエミッタフォロワとして動作するので、増幅器のコレクタ、またはドレイン（電源）電圧は弁別増幅器５が出力する入力信号へ追従して動作するようになる。
【００３９】
Ｔｒ３のコレクタに供給される電源Ｖ１の電圧ｖ１は、ｖ１＞ｖ２となるようにしているので、従来の簡易な増幅器と異なり、ＳＷＰＡ２のコレクタ電圧が不連続に変化することなく、入力レベルの検波電圧に対応して変化するので、ＳＷＰＡ２の歪特性を改善することができるとともに振幅変調を与えることが出来る。
【００４０】
なお、上記のＴｒ３、Ｔｒ２はバイポーラトランジスタでもよいし、ＦＥＴでもよい。また片側がバイポーラトランジスタ、もう片側がＦＥＴの組合せの構成でもよい。
【００４１】
なお、バイポーラトランジスタの場合は、コレクタ電圧が制御され、ＦＥＴの場合で有れば、ドレイン電圧が制御されるが、ここでは、これら制御される電圧を何れもバイアス電圧と総称する。また、バイポーラトランジスタとＦＥＴの場合、コレクタをドレイン、エミッタをソース、ベースをゲートとそれぞれ読み替えればよい。
【００４２】
なお、本発明は、上記主旨を脱しない範囲で、構成、組合せ、処理手順等を変更することが出来る。例えば、上記Ｄ／Ａ変換器４、弁別増幅器５、バイアス部９は、独立した構成になっているが、弁別増幅器５の信号レベル比較は、デジタル的に行われ、バイアス部９はそのデジタル変換された値から各トランジスタを制御するバイアス電圧を生成するバイアス信号生成手段であっても良い。
【符号の説明】
【００４３】
１  ΣΔ変調器
２  ＳＷＰＡ（スイッチングパワーアンプ）
３  ＢＰＦ
４  Ｄ／Ａコンバータ
５  弁別増幅器
６  チョークコイル
７  逆電圧防止ダイオード
８  デジタル処理部
９  バイアス部
Ｔｒ１、Ｔｒ２、Ｔｒ３  スイッチトランジスタ
【図１】
0005389567.tif 000002
【図２】
0005389567.tif 000003
【図３】
0005389567.tif 000004
【図４】
0005389567.tif 000005
【図５】
0005389567.tif 000006